(57)【要約】      （修正有）【課題】装飾板を多数用意しておき、テールレンズのネジを外し、好みの装飾板を選択して適宜これを取り付けるだけで、一種類のテールランプ用のテールレンズを多種類のデザインに見せることができ、手軽にファッション性を与えることができるテールランプ用装飾板を提供する。【解決手段】テールレンズ１と、光源３を有し、車体に装着される灯体２との間に挟み込んで使用されるテールランプ用装飾板Ａであって、テールレンズ１の全面をカバーする大きさを有し、光源３からの光が通過する切り抜き模様孔１２が形成されている点に特徴がある。【選択図】図２
0003186630.tif 000002
【実用新案登録請求の範囲】
【請求項１】
テールレンズと、光源を有し、車体に装着される灯体との間に挟み込んで使用されるテールランプ用装飾板であって、
テールレンズの全面をカバーする大きさを有し、光源からの光が通過する切り抜き模様孔が形成されていることを特徴とするテールランプ用装飾板。
【請求項２】
テールレンズは灯体にネジ止めされるようになっていることを特徴とする請求項１に記載のテールランプ用装飾板。
【請求項３】
装飾板本体にはネジ避けの切り欠きが設けられていることを特徴とする請求項１又は２に記載のテールランプ用装飾板。
【請求項４】
装飾板本体が鏡面仕上げされたステンレス板であることを特徴とする請求項１〜３のいずれかに記載のテールランプ用装飾板。
【考案の詳細な説明】
【技術分野】
【０００１】
本考案は、テールランプのテールレンズと灯体との間に挟み込んで使用されるテールランプ用装飾板に関する。
【背景技術】
【０００２】
自動車のテールランプは、夜間或いは暗いトンネル内又は悪天候時などの走行時に後ろを走る車に、前方に車が走っていることを知らせるためのもので、ヘッドライトと連動して使用される。トラック用のテールランプは、例えば、ブレーキランプや方向指示ランプなどと一体化した多連式のリヤコンビネーションランプとなっていることも多く、赤（ブレーキランプ）、黄（方向指示ランプ）のテールレンズが並設されたものが良く知られている。テールランプの赤表示部分であるブレーキランプはブレーキをかけた時に通常点灯の５倍程度と、より明るく点灯して赤が際立つようになっており、方向指示ランプは方向を指示した時に点滅するようになっている。テールランプの各テールレンズには、コーナーキューブ・ミラーやコーナーキューブ・プリズムを用いた反射板が組み込まれており、後方車両のヘッドライトに照らされると、この光を反射して赤く光り、夜間の駐停車時など点灯していないときにも注意を促す役割を果たす。
【０００３】
テールランプの構成部品は、点灯のための光源を内蔵した灯体、光源を覆うテールレンズなどで構成される。光源は通常、電球やＬＥＤが使われ、主としては電球であるが、最近ではＬＥＤの電球タイプに交換するようなケースも見られる。
【０００４】
テールレンズは、通常、ＡＢＳ樹脂のような樹脂製で形成され、その内のブレーキランプのテールレンズは、従来、赤色のみ許可されていたが、最近では、赤以外であっても、発光時に赤色の光を発生させることができれば適法となり、自動車のドレスアップとしてクリアテールと呼ばれる無色或いは白色のテールレンズや、レンズのみ着色されているユーロテールに変更することが可能となった。
【０００５】
加えて、最近、自動車や二輪車などの市販車のテールランプなどのＬＥＤ化が進んでおり、テールランプにもファッション的な要素が求められるようになって来ている（特許文献１）。
【先行技術文献】
【特許文献】
【０００６】
【特許文献１】特開平０７−２９０４２２号公報
【０００７】
その場合は車両のボディの曲面に合わせたりデザイン性を考慮したりする関係上、形状が様々であって、テールランプを射出成形するには多数の金型が必要で、テールランプ単体のコストが非常に高く付くものであった。また、電子パーツを使用してマークの造型や点滅などのアクションをさせようとするものもあり、この場合は、ある程度の電気の専門的知識が必要となり、テールランプに手軽にファッション性を持たせることができなかった。
【考案の概要】
【考案が解決しようとする課題】
【０００８】
本考案は、装飾板を多数用意しておき、テールレンズのねじを外し、好みの装飾板を選択して適宜これを取り付けるだけで、一種類のテールランプを多種類のデザインに見せることができ、手軽にファッション性を与えることができるテールランプ用装飾板を提供することを目的としている。
【課題を解決するための手段】
【０００９】
請求項１に記載されたテールランプ用装飾板Ａは、テールレンズ１と、光源３を有し、車体４に装着される灯体２との間に挟み込んで使用されるテールランプ用装飾板Ａであって、
テールレンズ１の全面をカバーする大きさを有し、光源３からの光が通過する切り抜き模様孔１２が形成されている点に特徴がある。
【００１０】
請求項２に記載された考案は請求項１において、テールレンズ１は灯体２にネジ止めされるようになっており、請求項３に記載された考案は請求項１又は２において、装飾板本体１０には前記ネジ避けの切り欠き１３が設けられている点に特徴があり、請求項４に記載された考案は請求項１〜３のいずれかにおいて、装飾板本体１０が鏡面仕上げされたステンレス板であることを特徴とする。
【考案の効果】
【００１１】
上記の構成によれば、テールランプ用装飾板Ａを複数種類（ａ，ｂ，ｃ，ｄ）用意しておき、これを装着又は取り換えることにより、点灯時の投影により、挟み込まれた装飾板Ａの切り抜き模様孔１２がテールレンズ１に浮き出るようにすることで、テールランプＴを構成する各ランプ（ａ，ｂ，ｃ）の模様に変化を与え、そのファッション性を高めるようにすることができる。そして、装飾板本体１０にネジ避けの切り欠き１３を設けておくことにより、テールレンズ１のネジ５を外すだけで装飾板Ａを簡単に取り付けたり、取り換えたりすることができるようになった。また、装飾板本体１０を鏡面仕上げされたステンレス板とすることで、点灯時、装飾板本体１０そのものも反射板となり、切り抜き模様の投影効果を助長する。
【図面の簡単な説明】
【００１２】
【図１】本考案を利用したテールランプの斜視図である。
【図２】図１の分解斜視図である。
【図３】図１の他の実施例の分解斜視図である。
【図４】本考案の装飾板の第１実施例の正面図である。
【図５】本考案の装飾板の第２実施例の正面図である。
【図６】本考案の装飾板の第３実施例の正面図である。
【図７】本考案の装飾板の第４実施例の正面図である。
【考案を実施するための形態】
【００１３】
以下、本考案を図示実施例の図面に基づいて説明する。図２は白熱電球を光源３とする本考案の分解斜視図で、図示されたテールランプＴは、３連式の灯体２とその上に装着される３枚のテールレンズ１とで構成され、本考案にかかるテールランプ用装飾板Ａは、テールレンズ１と灯体２との間に挟み込まれて使用される。灯体２は、白熱電球である光源３が中央に配置されたプリント基板６と、プリント基板６を収納凹所７ａに収納するケース７とで構成されている。光源３は、現時点では、白熱ランプが主流で、収納凹所７ａの中央に設置されるようになっている。一方、図３は白熱電球に替え、１乃至複数個の光源３が配置されたプリント基板６と、プリント基板６を収納凹所７ａに収納するケース７とで構成されている。光源３は、現時点では、白熱ランプが主流である。勿論、外観が白熱ランプ形のＬＥＤ光源３も用いられている。その場合は、プリント基板６の中央に設置されるが、最近ではプリント基板６の前面に所定間隔で多数のＬＥＤが配置された光源３も多用されている。
【００１４】
テールレンズ１は、ケース７の装着部分に合わせて形成されており、本実施例の場合は四角形（例えば、正方形、長方形、菱形或いは台形）の浅い皿状のもので、その四隅にネジ孔８が穿設されている。勿論、テールレンズ１はケース７の取付場所の形状に合わせて形成されるので、四角形に限られるものではなく、丸形、楕円形その他適宜の形状が選択できる。テールレンズ１の正面部分１ａの全面にコーナーキューブ・ミラーやコーナーキューブ・プリズム１ｂが形成されている。
【００１５】
テールランプ用装飾板Ａは、表面が鏡面仕上げされた薄いステンレス板の打ち抜き体又はレーザー加工による切り抜き体で、本実施例では４種類（ａ，ｂ，ｃ，ｄ）を例示しているが、勿論、これに限られない。装飾板Ａの外形形状は、テールレンズ１の正面部分１ａの全面をカバーできる大きさであり、その四隅にネジ避け用の切り欠き１３が設けられている。装飾板Ａは１車種専用でもよいが、複数車種に共用可能とするためにテールレンズ１又は後述するケース７に設けられた障害物を避けることができるように、装飾板Ａの上辺と下辺に干渉物回避用切り欠き１４を形成してもよい。なお、切り抜き模様孔１２は、光源３の大部分が隠れないように形成される。
【００１６】
装飾板ａは第１の例でハンドルを模した模様であり、例えば、ブレーキランプ中央に小さな丸孔を有するリングａ１が形成されており、リングａ１の周囲から１２０°間隔で２本の平行なバーａ２が放射状に延び、外側の大きな丸孔ａ３の孔縁に繋がった切り抜き模様孔１２である。
【００１７】
装飾板ｂは第２の例で矢印が切り抜かれており、切り抜き模様孔１２間に横バーｂ１が設けられており、方向指示ランプに使用される。
【００１８】
装飾板ｃは第３の例で８角形を模して切り抜かれており、切り抜き模様孔１２間に横バーｃ１が設けられており、バック注意ランプに使用される。
【００１９】
装飾板ｄは第４の例でブレーキランプに使用される他の例で、中央にひし形ｄ１を模して切り抜かれており、その角から四方に平行なバーｄ２が延び、周囲の四角形の枠ｄ３につながった切り抜き模様である。これらは切り抜き模様の一例であり、これらに限定されるのではない。
【００２０】
しかして、図２に示すように、各テールレンズ１の四隅のネジ５を外し、ケース７から取り外し、用意された複数のテールランプ用装飾板Ａから好みの装飾板（ａ、ｂ、ｃ）を選択してプリント基板６の上に配置し、その上から外したテールレンズ１を取り付け、ネジ止めを行う。これにより各装飾板（ａ、ｂ、ｃ）はテールレンズ１と灯体２との間に挟持固定される。光源３は切り抜き模様孔１２部分に位置するため、大部分の光は切り抜き模様孔１２を通ってテールレンズ１を照らすが、一部の光は反射して各装飾板（ａ、ｂ、ｃ）の影をテールレンズ１に投影する。この投影により、各テールレンズ１に各装飾板（ａ、ｂ、ｃ）の影がくっきりと浮かび上がり、各テールレンズ１の模様も違ったものに見せ、そのファッション性を高める。
【００２１】
この時、テールランプ用装飾板Ａを鏡面仕上げされたステンレス板とすることで、点灯時、装飾板本体１０そのものも反射板となり、切り抜き模様の投影効果が助長される。
【符号の説明】
【００２２】
Ａ（ａ，ｂ，ｃ，ｄ）：テールランプ用装飾板，Ｔ：テールランプ，１：テールレンズ，１ａ：正面部分，１ｂ；プリズム，ａ１：リング，ａ２：平行なバー，ａ３：丸孔，ｂ１：横バー，ｃ１：横バー，ｄ１：ひし形，ｄ２：平行なバー，ｄ３：四角形の枠，２：灯体，３：光源，４：車体，５：ネジ，６：プリント基板，７：ケース，７ａ：収納凹所，８：ネジ孔，１０：装飾板本体，１２：切り抜き模様孔，１３：切り欠き，１４：干渉物回避用切り欠き。
【図１】
0003186630.tif 000003
【図２】
0003186630.tif 000004
【図３】
0003186630.tif 000005
【図４】
0003186630.tif 000006
【図５】
0003186630.tif 000007
【図６】
0003186630.tif 000008
【図７】
0003186630.tif 000009